(57)【要約】【課題】出荷後の精度誤差発生は可及的に防止されながら、出荷前の精度誤差補正は容易なテストハンマーを提供する。【解決手段】筒体内３に、測定対象面２を打撃するプランジャー１と、このプランジャー１を打撃するハンマー１４と、このハンマー１４で打撃されたプランジャー１が測定対象面２から跳ね返ってハンマー１４を押し戻す力を緩衝する緩衝部材１５と、この緩衝部材１５を支持する支持部材７と、を備える。また、筒体３の基端部開口を覆う蓋材本体１１と、この蓋材本体１１に先端部がねじ込まれたねじ部材２０と、を有する。ねじ部材２０のねじ込み量を調節して支持部材７の蓋材本体１１までの距離を変化させ、緩衝部材１５の緩衝力を調節する。ねじ部材２０のねじ込み量が再調節不能となるようにする。【選択図】図１
2005265766.tif 000002
【特許請求の範囲】
【請求項１】
測定対象面を打撃するプランジャーと、このプランジャーを打撃するハンマーと、このハンマーで打撃されたプランジャーが前記測定対象面から跳ね返って前記ハンマーを押し戻す力を緩衝する緩衝部材と、この緩衝部材を支持する支持部材と、が筒体内に備えられ、前記ハンマーが押し戻された距離に基づいて測定対象物の圧縮強度を検知するものであり、
前記筒体の基端部開口を覆う蓋材本体と、この蓋材本体に先端部がねじ込まれたねじ部材と、を有し、このねじ部材のねじ込み量が調節されたことによって前記支持部材の前記蓋材本体までの距離が変化させられて前記緩衝部材の緩衝力が調節されたテストハンマーであって、
前記ねじ部材のねじ込み量が再調節不能とされている、ことを特徴とするテストハンマー。
【請求項２】
ねじ部材が蓋材本体に、接着され、ろう付けされ又は溶接されたことによって、ねじ込み量が再調節不能とされている、請求項１記載のテストハンマー。
【請求項３】
ねじ部材が、ねじ部とこのねじ部よりも太い頭部とを有し、
前記ねじ部材の蓋材本体から突出した部位全体が筒体で囲まれ、この筒体の前記ねじ部に対応する部位の少なくとも一部が、前記頭部よりも細くなるように締められている、請求項１記載のテストハンマー。
【請求項４】
測定対象面を打撃するプランジャーと、このプランジャーを打撃するハンマーと、このハンマーで打撃されたプランジャーが前記測定対象面から跳ね返って前記ハンマーを押し戻す力を緩衝する緩衝部材と、この緩衝部材を支持する支持部材と、が筒体内に備えられ、前記ハンマーが押し戻された距離に基づいて測定対象物の圧縮強度を検知するテストハンマーに備えられるもので、
前記筒体の基端縁開口を覆う蓋材本体と、この蓋材本体に先端側がねじ込まれたねじ部材と、を有し、このねじ部材のねじ込み量を調節することによって前記支持部材の前記蓋材本体までの距離を変化させて前記緩衝部材の緩衝力を調節することができる、蓋材装置であって、
前記ねじ部材のねじ込み量の再調節不能手段を有する、ことを特徴とするテストハンマー用蓋材装置。
【発明の詳細な説明】
【技術分野】
【０００１】
本発明は、コンクリート等の圧縮強度を測定するテストハンマー及びこのテストハンマーに備えられる蓋材装置に関するものである。
【背景技術】
【０００２】
現在、コンクリートなどの圧縮強度測定には、シュミットハンマー（商品名）と呼ばれる非破壊式のコンパクトなテストハンマーが汎用されている。このテストハンマーは、一般に、図１に示すように、コンクリート表面等の測定対象面を打撃するプランジャー１と、このプランジャー１を打撃するハンマー１４と、このハンマー１４で打撃されたプランジャー１が測定対象面２から跳ね返ってハンマー１４を押し戻す力を緩衝するバネ等の緩衝部材１５と、この緩衝部材１５を支持する支持部材７と、を主に有し、これらがハウジングなどの筒体３内に備えられている。このテストハンマー３０は、ハンマー１４が押し戻された距離に基づいて測定対象物２の圧縮強度を検知する。
【０００３】
また、このテストハンマー３０には、筒体３の基端部開口を覆う蓋材本体１１と、この蓋材本体１１に先端部２０Ａがねじ込まれたねじ部材２０と、を有する蓋材装置が備えられ、ねじ部材２０のねじ込み量を調節することによって支持部材７の蓋材本体１１までの距離を変化させて緩衝部材１５の緩衝力を調節することができるようになっている。
【０００４】
テストハンマー３０は、測定精度に個体差があることから、テストアンビルなどの検定器で精度を検査し、ねじ部材２０のねじ込み量を調節することによって誤差を補正してから出荷されている。
【０００５】
しかしながら、このように厳格な精度管理がなされているにも関わらず、現実には、精度誤差が生じていることが、近年の調査報告により明らかになった。そこで、本発明者らが原因を究明した結果、この精度誤差は、出荷後にねじ部材２０のねじ込み量が調節されてしまうことによるものであるとわかった。この点、出荷後には、調節ができないよう、ねじ部材２０に替えて蓋材本体１１にピンを圧入することも考えられるが、これでは出荷前の精度補正時において、微調節のために何本ものピンを抜き差ししなければならず、あまりに非効率的であり、不経済である。
【発明の開示】
【発明が解決しようとする課題】
【０００６】
本発明の主たる課題は、出荷後の精度誤差発生は可及的に防止されながら、出荷前の精度誤差補正は容易なテストハンマー及びテストハンマー用の蓋材装置を提供することにある。
【課題を解決するための手段】
【０００７】
上記課題を解決した本発明は、次のとおりである。
〔請求項１記載の発明〕
測定対象面を打撃するプランジャーと、このプランジャーを打撃するハンマーと、このハンマーで打撃されたプランジャーが前記測定対象面から跳ね返って前記ハンマーを押し戻す力を緩衝する緩衝部材と、この緩衝部材を支持する支持部材と、が筒体内に備えられ、前記ハンマーが押し戻された距離に基づいて測定対象物の圧縮強度を検知するものであり、
前記筒体の基端部開口を覆う蓋材本体と、この蓋材本体に先端部がねじ込まれたねじ部材と、を有し、このねじ部材のねじ込み量が調節されたことによって前記支持部材の前記蓋材本体までの距離が変化させられて前記緩衝部材の緩衝力が調節されたテストハンマーであって、
前記ねじ部材のねじ込み量が再調節不能とされている、ことを特徴とするテストハンマー。
【０００８】
〔請求項２記載の発明〕
ねじ部材が蓋材本体に、接着され、ろう付けされ又は溶接されたことによって、ねじ込み量が再調節不能とされている、請求項１記載のテストハンマー。
【０００９】
〔請求項３記載の発明〕
ねじ部材が、ねじ部とこのねじ部よりも太い頭部とを有し、
前記ねじ部材の蓋材本体から突出した部位全体が筒体で囲まれ、この筒体の前記ねじ部に対応する部位の少なくとも一部が、前記頭部よりも細くなるように締められている、請求項１記載のテストハンマー。
【００１０】
〔請求項４記載の発明〕
測定対象面を打撃するプランジャーと、このプランジャーを打撃するハンマーと、このハンマーで打撃されたプランジャーが前記測定対象面から跳ね返って前記ハンマーを押し戻す力を緩衝する緩衝部材と、この緩衝部材を支持する支持部材と、が筒体内に備えられ、前記ハンマーが押し戻された距離に基づいて測定対象物の圧縮強度を検知するテストハンマーに備えられるもので、
前記筒体の基端縁開口を覆う蓋材本体と、この蓋材本体に先端側がねじ込まれたねじ部材と、を有し、このねじ部材のねじ込み量を調節することによって前記支持部材の前記蓋材本体までの距離を変化させて前記緩衝部材の緩衝力を調節することができる、蓋材装置であって、
前記ねじ部材のねじ込み量の再調節不能手段を有する、ことを特徴とするテストハンマー用蓋材装置。
【発明の効果】
【００１１】
本発明によれば、出荷後の精度誤差発生は可及的に防止されながら、出荷前の精度誤差補正は容易となる。
【発明を実施するための最良の形態】
【００１２】
以下、本発明の実施の形態を説明する。なお、本実施の形態のテストハンマーは、図１に示した従来のテストハンマー３０と基本構成は同一なので、以下では、従来のテストハンマーと異なる点、前記していない点及び使用方法を中心に説明する。
【００１３】
テストハンマー３０は、図１に示すように、ハンマー１４の基端面１４Ｃに、蓋材本体１１に向かって突出し、先端部が外方に広がる受け係止部１４Ａが設けられている。測定開始前において、この受け係止部１４Ａは、ハドメ１３の先端部において内方に突出する係止部１３Ａによって係止されている。これにより、ハンマー１４は、基端側に引っ張られた状態で、留められている。
【００１４】
圧縮強度の測定にあたっては、プランジャー１の先端部を測定対象面に垂直に当接させてから、プッシュボタン６を内方に向かって（筒体３の軸に向かって）押す。プッシュボタン６は、伸縮部材たるバネ６Ｂによって押し戻されるようになっており、押し戻される際に、プッシュボタン６先端部の外方に広がる引っ掛け部６Ａがハドメ１３の先端部に引っ掛かり、ハドメ１３の先端部が外方にずれるようになっている。これにより、ハドメ１３の係止部１３Ａとハンマー１４の受け係止部１４Ａとの係止関係が解消され、ハンマー１４は、スプリング１６によって先端側に引っ張られプランジャー１を打撃する。この打撃により、プランジャー１は、測定対象面２を打撃して跳ね返り、ハンマー１４を押し戻す。ただし、この押し戻す力は、バネ等の緩衝部材１５によって、弱められている。
【００１５】
緩衝部材１５は、プランジャー１に基端側から嵌入された支持部材７の先端部に固定されている。この支持部材７は、緩衝部材１５を支持するほか、ハンマー１４の筒体３長手方向への移動を誘導するガイドともなっている。
【００１６】
ハンマー１４がプランジャー１によって押し戻されるに際しては、ハンマー１４の中央部周壁周りに形成されている段差部１４Ｂが、反発値表示材４の先端面から斜め内方に向かって延在する針状部材４Ａに引っ掛かる。この引っ掛かりによって、反発値表示材４は、基端側に移動し、この移動量（距離）が反発値表示窓１９から反発値として認識され、圧縮強度を検知される。
【００１７】
一方、前記支持部材７の基端部には、断面略円形状のディスク８が設けられており、このディスク８の基端側表面には、基端側に向かって延在するようにバネ部材１２が取り付けられている。このバネ部材１２の先端部は、蓋材本体１１にその周に沿うように形成された溝１１Ａ内に挿入されている。
【００１８】
蓋材本体１１の略中央部には、ねじ部材２０の先端部がねじ込まれている。ねじ部材２０は、ねじ部２０Ａとこのねじ部２０Ａより太い頭部２０Ｂとから主になるものであり、例えば、ビスやボルト等を例示することができる。本実施の形態において、ねじ部２０Ａの途中には、ロックナット２１が備えられており、このロックナット２１を蓋材本体１１側に移動する（締める）ことにより、ねじ込み量の意図しない変化が確実に防止される。  このようにして備えられたねじ部材２０は、ハドメ１３及びディスク８を介して、緩衝部材１５によって基端側への力を受けている支持部材７の基端部と接触する。したがって、ねじ部材２０のねじ込み量を調節すると、これに応じて支持部材７の蓋材本体１１までの距離が変化することになり、緩衝部材１５の緩衝力が調節されることになる。この緩衝力の調節によって、反発値表示材４の移動量（反発値）を、実際の圧縮強度と正確に対応させることができる。
【００１９】
本発明のテストハンマーにおいては、ねじ部材２０のねじ込み量を出荷後に再調節することができないよう、再調節不能手段が設けられる（蓋材本体１１、ねじ部材２０及び再調節不能手段で、蓋材装置が構成されている。）。ねじ込み量の再調節を不能とする方法としては、例えば、ねじ部材２０の先端部を蓋材本体１１に接着する方法や、ろう付けする方法、あるいは溶接する方法などを例示することができる。
【００２０】
もっとも、これらの方法によると、使用者による再調節は不能となっても、別の要因によって精度誤差が生じた場合に、補正（修理）することができなくなってしまう。また、ねじ部材２０の蓋材本体１１から突出する部分を伸縮チューブで覆うことや、かかる突出部にシール、テープ等を貼り付けることも考えられるが、これらによると、使用者によって簡単に取り外すことができてしまい、故意による再調節には対応できない。さらに、割ピンや、ロックねじ、針金による固定なども考えられるが、ねじ部材２０の加工が必要となり、手間、コストの面で好ましいものとはいえない。
【００２１】
そこで、図２に示すように、例えば、鉄製、アルミ製などで、両端縁が開口する断面略円形状の筒部材３１を使用する方法を推奨する。この方法においては、筒部材３１を、ねじ部材２０の蓋材本体１１から突出した部位全体を囲むように取り付け、筒部材３１のねじ部２０Ａに対応する部位の少なくとも一部を、頭部２０Ｂよりも細くなるように締め付ける（かしめる）。これにより、出荷後において、テストハンマーの使用者は、特殊工具を有しない限り、再調節することができず、精度誤差の発生は可及的に防止される。また、別の要因によって精度誤差が生じた場合の修理は、不可能にならないとの利点もある。
【００２２】
このように、筒部材３１を設けてテストハンマー３０を出荷するにあたっては、更に筒部材３１の頭部をシールなどによって封印し、精度確認済みなどと表示するとよい。これにより、有形的かつ無形的に再調節が防止とされることになるので、テストハンマー３０の信頼性がいっそう増すことになる。
【図面の簡単な説明】
【００２３】
【図１】テストハンマーの縦断面図である。
【図２】再調節防止手段の施工例である。
【符号の説明】
【００２４】
１…プランジャー、２…測定対象物、３…筒体、１１…蓋材本体、１４…ハンマー、１５…緩衝部材、２０…ねじ部材、２０Ａ…ねじ部、２０Ｂ…頭部、３１…筒部材。
【図１】
2005265766.tif 000003
【図２】
2005265766.tif 000004